(57)【特許請求の範囲】
【請求項１】
雄型又は雌型の嵌合部材とリベット部材とのうち、一方の部材を受座に支持させ、他方の部材を前記受座に対して昇降駆動される打込具に支持させ、受座と打込具間に可撓性シートを介装した状態で、前記打込具をペダルにて入り操作される一回転クラッチを介して昇降駆動することにより、前記リベット部材と前記嵌合部材とを互いにカシメ止めするようにした足踏み式スナップファスナー取付け機において、前記ペダル１０と前記打込具４との間に、横軸１６を介して回転自在に枢支されたアーム１５、当該アーム１５の一端と打込具４の上部に連設された昇降ロッド６の上端とに枢支連結されたリンク１７、回転自在に支持された横軸２０の一端側に当該横軸２０と一体に回転することが可能な状態に取り付けられ、且つ、前記アーム１５に連動連結された回転リンク２１、横軸２７を介して枢支され、且つ、前記回転リンク２１と前記ペダル１０にロッド２８，２９により枢支連結されたリンク２６等で構成された第１の操作力伝達機構Ａを設けて、ペダル１０を踏み込むことにより、前記打込具４が、当該打込具４を昇降ストロークＨの最上端Ｐ1 に上昇付勢するスプリング１２に抗して当該打込具４の昇降ストロークＨにおける最上端Ｐ1 から、打込具４と受座３との間隔が作業者の手指を挿入できない大きさに設定された中間位置Ｐ2 まで下降するように構成する一方、ペダル１０と一回転クラッチ７の操作片１４との間には、前記横軸２０の他端側に当該横軸２０と一体に回転することが可能な状態に取り付けられ、且つ、前記操作片１４に、長さ調整可能に構成されたロッド３１と、ロッド３１に形成された長孔３２と、前記長孔３２にスライド自在に挿入されたピン３３とを介して連動連結されたリンク３０等で構成された第２の操作力伝達機構Ｂを設けて、前記ペダル１０から一回転クラッチ７の操作片１４とへと操作力を伝達するように構成すると共に、前記長孔３２とピン３３とで、前記ペダル１０を前記打込具４が前記中間位置Ｐ2 まで下降するように踏み込むまで、ペダル１０の操作力が一回転クラッチ７の操作片１４に伝達されないようにする遊び部分Ｃを構成し、一回転クラッチ７の出力軸８に偏芯カム９を設け、前記第１の操作力伝達機構Ａには、前記アーム１５の他端に、前記打込具４が前記中間位置Ｐ2 にあるときのみ前記偏芯カム９の回転軌跡内に位置し当該偏芯カム９で押圧駆動されることが可能なカムフォロー１３を設けて、前記打込具４が前記中間位置Ｐ2 にあるときのみ、前記偏芯カム９が前記カムフォロー１３を押圧して、前記打込具４が前記中間位置Ｐ2 から昇降ストロークＨの最下端Ｐ3 まで昇降駆動されるように構成してあることを特徴とするスナップファスナー取付け機の安全装置。
【発明の詳細な説明】
【０００１】
【発明の属する技術分野】
本発明は、雄型又は雌型の嵌合部材とリベット部材とのうち、一方の部材を受座に支持させ、他方の部材を前記受座に対して昇降駆動される打込具に支持させ、受座と打込具間に、衣服の生地や包装用ビニール袋の開口縁部等、スナップファスナーの取付け対象であるところの可撓性シートを介装した状態で、前記打込具をペダルにて入り操作される一回転クラッチを介して昇降駆動することにより、前記リベット部材と前記嵌合部材とを互いにカシメ止めするようにしたスナップファスナー取付機の安全装置に関する。
【０００２】
【従来の技術】
上記のスナップファスナー取付機においては、一回転クラッチの操作を足で行うため、両手を自由に使え、可撓性シートを両手で緊張させた状態でペダルを踏むことにより、可撓性シートに皺のない良好なスナップファスナーの取付け状態が得られるという利点がある反面、一回転クラッチの操作を足で行うが故に、何等かの安全装置を付加しないと、他に気をとられてペダル踏みのタイミングを誤ったり、あるいは、周囲の人がうっかりと作業者にぶつかる等、不測の出来事によってペダルに載せた足に力が入ったりした場合に、手指が打込具と受座に挟まれて、重大な事故を招く虞れがある。そのため、従来より、様々な安全装置が開発され、実用化されている。
【０００３】
その一つは、打込具の周囲に、ペダルの踏込みにより、打込具に先行して昇降動作する手指感知枠体を設け、手指感知枠体が下降して手指に当接した場合には、手指感知枠体の下降が手指によって妨げられて、それ以上、ペダルを踏み込めないので、一回転クラッチを入り操作できないように構成した安全装置である。
【０００４】
この安全装置は、安全性能においては非常に優れているが、打込具の周囲に、手指感知枠体が位置するため、両手で可撓性シートを受座と打込具間に差し入れた際、手指感知枠体が視覚的にも物理的にも障害物になって、スナップファスナーを正確な位置に取り付けることが難しく、精度の高い取付け作業には、かなりの熟練を要するという問題点があった。
【０００５】
【発明が解決しようとする課題】
本発明は、従来の安全装置における上記の問題点を解決し、誰にでも、スナップファスナーを正確な位置に取り付けることができるようにした使い勝手の良いスナップファスナー取付機の安全装置を提供するものである。
【０００６】
【課題を解決するための手段】
上記の目的を達成するために本発明が講じた技術的手段は、次のとおりである。即ち、本発明の特徴は、冒頭に述べたスナップファスナー取付け機において、前記ペダルを踏み込むことにより、前記打込具が人力によって適当な位置まで下降し、打込具と受座との間に作業者の手指が挿入されている場合には、打込具と受座とで手指が挟まれて、それ以上、打込具を下降できないので、一回転クラッチが入り操作されず、打込具と受座との間に作業者の手指が挿入されていなければ、打込具がさらに所定位置まで下降して、一回転クラッチが入り操作されるので、一回転クラッチを介して打込具が昇降ストローク下端まで昇降駆動されて、前記リベット部材と前記嵌合部材とのカシメ止めが行われ、さらに、電源を切った後、ペダルを踏み込んだために、一回転クラッチが入り操作された状態に保たれていることがあっても、次に電源を入れた際、一回転クラッチが回転動作するたけで、その出力が打込具に伝わらないように構成した点にある。
【０００７】
より具体的に説明すると、本発明の特徴は、請求項１に記載のとおり、雄型又は雌型の嵌合部材とリベット部材とのうち、一方の部材を受座に支持させ、他方の部材を前記受座に対して昇降駆動される打込具に支持させ、受座と打込具間に可撓性シートを介装した状態で、前記打込具をペダルにて入り操作される一回転クラッチを介して昇降駆動することにより、前記リベット部材と前記嵌合部材とを互いにカシメ止めするようにしたスナップファスナー取付け機において、前記ペダル１０と前記打込具４との間に、横軸１６を介して回転自在に枢支されたアーム１５、当該アーム１５の一端と打込具４の上部に連設された昇降ロッド６の上端とに枢支連結されたリンク１７、回転自在に支持された横軸２０の一端側に当該横軸２０と一体に回転することが可能な状態に取り付けられ、且つ、前記アーム１５に連動連結された回転リンク２１、横軸２７を介して枢支され、且つ、前記回転リンク２１と前記ペダル１０にロッド２８，２９により枢支連結されたリンク２６等で構成された第１の操作力伝達機構Ａを設けて、ペダル１０を踏み込むことにより、前記打込具４が、当該打込具４を昇降ストロークＨの最上端Ｐ1 に上昇付勢するスプリング１２に抗して当該打込具４の昇降ストロークＨにおける最上端Ｐ1 から、打込具４と受座３との間隔が作業者の手指を挿入できない大きさに設定された中間位置Ｐ2 まで下降するように構成する一方、ペダル１０と一回転クラッチ７の操作片１４との間には、前記横軸２０の他端側に当該横軸２０と一体に回転することが可能な状態に取り付けられ、且つ、前記操作片１４に、長さ調整可能に構成されたロッド３１と、ロッド３１に形成された長孔３２と、前記長孔３２にスライド自在に挿入されたピン３３とを介して連動連結されたリンク３０等で構成された第２の操作力伝達機構Ｂを設けて、前記ペダル１０から一回転クラッチ７の操作片１４とへと操作力を伝達するように構成すると共に、前記長孔３２とピン３３とで、前記ペダル１０を前記打込具４が前記中間位置Ｐ2 まで下降するように踏み込むまで、ペダル１０の操作力が一回転クラッチ７の操作片１４に伝達されないようにする遊び部分Ｃを構成し、一回転クラッチ７の出力軸８に偏芯カム９を設け、前記第１の操作力伝達機構Ａには、前記アーム１５の他端に、前記打込具４が前記中間位置Ｐ2 にあるときのみ前記偏芯カム９の回転軌跡内に位置し当該偏芯カム９で押圧駆動されることが可能なカムフォロー１３を設けて、前記打込具４が前記中間位置Ｐ2 にあるときのみ、前記偏芯カム９が前記カムフォロー１３を押圧して、前記打込具４が前記中間位置Ｐ2 から昇降ストロークＨの最下端Ｐ3 まで昇降駆動されるように構成した点にある。
【０００８】
【発明の実施の形態】
以下、本発明の実施の形態を例示図に基づいて説明する。図１は、安全装置を備えたスナップファスナー取付け機を示し、図２〜図７は、安全装置の詳細を示す。
【０００９】
図１において、１はスタンドであり、その上部には、駆動ケースを兼ねたフレーム２が連設されている。フレーム２の前部側は、前方と左右両側方に開放した作業スペースＳを形成するように上フレーム２ａと下フレーム２ｂとに分かれており、下フレーム２ｂには受座３が設けられ、上フレーム２ａには受座３に対して昇降自在の打込具４が設けられている。そして、図２に示すように、スナップファスナー構成部材である雄型（あるいは雌型）の嵌合部材ａを前記打込具４に支持させ、且つ、他のスナップファスナー構成部材であるリベット部材ｂを前記受座３に支持させ、嵌合部材ａとリベット部材ｂとの間に、衣服の生地等の可撓性シートｃを介装させた状態で、打込具４が昇降ストロークＨ（Ｐ1 〜Ｐ3 ）の最下端Ｐ3 まで下降することにより、嵌合部材ａとリベット部材ｂとのカシメ止めが行われるようになっている。５は、打込具４の上部に連設された昇降ロッド６を上下方向スライド自在に保持する筒状の昇降ガイドである。Ｍは一回転クラッチ７を介して前記打込具４を昇降駆動するモーターである。８は一回転クラッチ７の出力軸であり、偏芯カム９が固着されている。スタンド１の下部には、前記一回転クラッチ７を入り操作するためのペダル１０が設けられている。１１はペダル１０の復帰用バネ、１２は打込具４を昇降ストロークＨの最上端Ｐ1 に上昇付勢するスプリングである。
【００１０】
ペダル１０と打込具４との間には、第１の操作力伝達機構Ａが設けられており、ペダル１０を踏み込むことにより、前記打込具４が、当該打込具４の昇降ストロークＨにおける最上端Ｐ1 から、打込具４と受座３との間隔が作業者の手指を挿入できない大きさ（例えば、数ミリメートル）に設定された中間位置Ｐ2 まで下降するように構成してある。第１の操作力伝達機構Ａには、前記打込具４が前記中間位置Ｐ2 にあるときのみ、前記偏芯カム９の回転軌跡内に位置し当該偏芯カム９で押圧駆動されることが可能なローラ状のカムフォロワー１３が設けられている。
【００１１】
また、ペダル１０と一回転クラッチ７の操作片１４との間には、前記ペダル１０から一回転クラッチ７の操作片１４へと操作力を伝達する第２の操作力伝達機構Ｂが設けられている。第２の操作力伝達機構Ｂの途中には、前記ペダル１０を前記打込具４が前記中間位置Ｐ2 まで下降するように踏み込むまで、ペダル１０の操作力によって一回転クラッチ７が入り操作されないようにするための遊び部分Ｃが設けられており、前記打込具４が前記中間位置Ｐ2 まで下降することによって一回転クラッチ７が入り操作され、前記打込具４が、前記偏芯カム９と、その回転軌跡内に移行した前記カムフォロワー１３とを介して、昇降ストロークＨにおける最下端Ｐ3 まで下降し、前記嵌合部材ａと前記リベット部材ｂのカシメ止めが行われるようになっている。
【００１２】
第１の操作力伝達機構Ａの具体的な構成は、次のとおりである。即ち、１５は、フレーム２に横軸１６を介して回転自在に枢支されたアームであり、アーム１５の一端と、前記昇降ロッド６の上端とはリンク１７とピン１８，１９により枢支連結されている。２０はフレーム２に回転自在に支持された横軸であり、横軸２０の一端側には、回転リンク２１が当該横軸２０と一体に回転することが可能な状態に取り付けられている。回転リンク２１と前記アーム１５とは、アーム１５の他端近傍部にピン２２で枢支したリンク２３と、当該リンク２３に形成した長孔２４に一定範囲でスライド自在に挿入されたピン２５を介して連動連結されている。２６はフレーム２に横軸２７を介して枢支されたリンクである。リンク２６と前記回転リンク２１とはロッド２８により枢支連結されており、リンク２６と前記ペダル１０とはロッド２９により枢支連結されている。
【００１３】
これらの部材１５〜２９により前記第１の操作力伝達機構Ａが構成されており、ペダル１０を踏み込むことにより、ロッド２９，２８が下方に引かれ、回転リンク２１を横軸２０軸芯周りに図１で反時針方向に回転させるので、アーム１５がリンク２３で突き上げられ、前記スプリング１２による付勢力に抗して横軸１６周りに回転し、リンク１７を介して昇降ロッド６を押し下げるので、打込具４が前記中間位置Ｐ2 まで下降するようになっている。
【００１４】
第２の操作力伝達機構Ｂの具体的な構成は、次のとおりである。即ち、前記横軸２０の他端側に、リンク３０が当該横軸２０と一体に回転することが可能な状態に取り付けられている。前記リンク３０と、フレーム２に支軸３４を介して揺動自在に支持された前記操作片１４とは、ねじ機構により長さ調整可能に構成されたロッド３１と、ロッド３１に形成された長孔３２と、リンク３０の先端に突設されて前記長孔３２にスライド自在に挿入されたピン３３とを介して連動連結されている。
【００１５】
これらの部材２０、３０、３１、３２、３３等で第２の操作力伝達機構Ｂが構成され、前記長孔３２とピン３３とで上述した遊び部分Ｃが構成されている。そして、ペダル１０を前記打込具４が前記中間位置Ｐ2 まで下降するように踏み込むことにより、リンク３０先端のピン３３が長孔３２の上端を押し上げ、ロッド３１が操作片１４を支軸３４周りに回転させるので、操作片１４の爪１４ａと一回転クラッチ７の段差部７ａとの係合が解かれて、一回転クラッチ７が入り、出力軸が一回転することよって、段差部７ａが操作片１４の爪１４ａに係合し、一回転クラッチ７が切れるようになっている。図３に示す３５ａ，３５ｂはストッパーである。
【００１６】
上記の構成によれば、図２に示すように、スナップファスナー構成部材である雄型（あるいは雌型）の嵌合部材ａを前記打込具４に支持させ、且つ、他のスナップファスナー構成部材であるリベット部材ｂを前記受座３に支持させ、嵌合部材ａとリベット部材ｂとの間に、衣服の生地等の可撓性シートｃを介装させた状態で、ペダル１０を踏み込むと、その操作力により、第１の操作力伝達機構Ａを介して、打込具４が昇降ストロークＨの最上端Ｐ1 から中間位置Ｐ2 まで下降する。
【００１７】
打込具４が中間位置Ｐ2 まで下降すると、第２の操作力伝達機構Ｂの遊び部分Ｃが無くなり、リンク３０先端のピン３３が長孔３２の上端を押し上げるので、一回転クラッチ７が入り、モーターＭの出力によって、打込具４が昇降ストロークＨの中間位置Ｐ2 から最下端Ｐ3 まで下降し、嵌合部材ａとリベット部材ｂのカシメ止めが行われる。つまり、リベット部材ｂの先鋭な突起が可撓性シートｃを貫いて、嵌合部材ａの中央貫通孔に挿通され、突起の突出先端が打込具４の中央に装備されたハンマーにより打撃され、拡径変形して、嵌合部材ａの中央貫通孔の縁部に係合することになる。
【００１８】
この場合、打込具４と受座３の間に手指が挿入されていると、うっかりペダル１０を踏み込んで、打込具４を下降させても、手指が打込具４と受座３に挟まれて、打込具４を中間位置Ｐ2 まで下降できないので、一回転クラッチ７が入らない。つまり、打込具４の最上端Ｐ1 から中間位置Ｐ2 までの下降はペダル１０を踏み込む力（人力）で行われるので、手指が打込具４と受座３に挟まれると、手指に痛みを感じてそれ以上にペダル１０を踏めず、打込具４を中間位置Ｐ2 まで下降できないので、一回転クラッチ７が入らない。従って、モーター出力による打込具４の下降（一回転クラッチ７が入って、出力軸８が回転し、偏芯カム９がカムフォロワー１３を押圧駆動して、アーム１５が横軸１６周りに反時計方向に回転し、リンク１７を介して昇降ロッド６を押し下げるという一連のカシメ止め動作）が行われず、安全が確保されることになる。
【００１９】
また、スナップファスナー取付け作業が終了し、電源を切った後で、ペダル１０が踏み込まれた場合、操作片１４の爪１４ａと一回転クラッチ７の段差部７ａとの係合が解かれて、一回転クラッチ７が入り操作された状態となり、次のスナップファスナー取付け作業に際して、電源を入れたとき、一回転クラッチ７の出力軸が一回転することがあるが、この場合には、打込具４がスプリング１２の付勢力によって昇降ストロークＨの最上端Ｐ1 にあり、ペダル１０も復帰バネ１１の付勢力によって上昇位置にあり、アーム１５先端のカムフォロワー１３が偏芯カム９の回転軌跡外にあるので、偏芯カム９が回転動作しても、その動作がカムフォロワー１３に伝わらないので、打込具４は下降しない。
【００２０】
従って、安全を確保できるのであり、しかも、打込具４自体が手指の存在を感知する役目を果たし、打込具４の周囲に、別の手指感知枠体を配置していないので、可撓性シートを受座３と打込具４間に差し入れた際、視覚的にも物理的にも障害物が無く、誰にでも、容易にスナップファスナーを正確な位置に取り付けることができる。
【００２１】
【発明の効果】
本発明によれば、安全を確保できるのみならず、打込具の周囲に視覚的・物理的な障害物が無いので、誰にでも、容易に、スナップファスナーを正確な位置に取り付けることができるという効果がある。
【図面の簡単な説明】
【図１】  スナップファスナー取付け機の全体側面図である。
【図２】  要部の縦断側面図である。
【図３】  スナップファスナー取付け機の安全装置の構成説明図である。
【図４】  スナップファスナー取付け機の安全装置の動作説明図である。
【図５】  スナップファスナー取付け機の安全装置の動作説明図である。
【図６】  スナップファスナー取付け機の安全装置の動作説明図である。
【図７】  スナップファスナー取付け機の安全装置の作用説明図である。
【符号の説明】
Ａ…第１の操作力伝達機構、Ｂ…第２の操作力伝達機構、Ｃ…遊び部分、Ｈ…昇降ストローク、Ｐ2 …中間位置、３…受座、４…打込具、８…一回転クラッチの出力軸、９…偏芯カム、１３…カムフォロワー。
【図１】
0003648296.tif 000002
【図２】
0003648296.tif 000003
【図３】
0003648296.tif 000004
【図４】
0003648296.tif 000005
【図５】
0003648296.tif 000006
【図６】
0003648296.tif 000007
【図７】
0003648296.tif 000008